(57)【要約】【課題】  ケース部材を有する両軸受リールにおいて、釣り糸が絡みつくことなくケース部材の傷付きを防止するとともに、ケース部材の横方向へのずれを抑える。【解決手段】  両軸受リールのリール本体１の上部には、カウンタケース４が固定されている。リール本体１の上部には、カウンタケース４が接合する接合部１ａ、１ｂを有しており、接合部１ａ、１ｂの一部は、リール本体１及びカウンタケース４の前面及び側面から外方に露出している。カウンタケース４は、前側の左右両端の上面、前面及び側面の３面を含む部分には、角部４ａ、４ｂが丸みを帯びて形成されている。リール本体１及びカウンタケース４には、リール本体１の接合部１ａ、１ｂ及びカウンタケース４の角部４ａ、４ｂを覆うようにカバー部材５０が装着されている。【選択図】      図１
2005160350.tif 000002
【特許請求の範囲】
【請求項１】
釣竿に装着され、スプールの前方に釣り糸が繰り出される両軸受リールのリール本体であって、
前記釣竿に装着される本体部材と、
前記本体部材の前記釣竿と離反する側である上部に装着され、前側上部両側に角部を有するケース部材と、
前記ケース部材の前記角部と、前記ケース部材及び前記本体部材の接合部とを覆うように装着されるカバー部材と、
を備えた両軸受リールのリール本体。
【請求項２】
前記カバー部材は、前記ケース部材の上部から前記本体部材の前部を覆うように装着される、請求項１に記載の両軸受リールのリール本体。
【請求項３】
前記カバー部材は、前記ケース部材の上部から前記本体部材の側部を覆うように装着される、請求項１又は２に記載の両軸受リールのリール本体。
【請求項４】
前記本体部材は、前部に前記釣り糸を前記スプールに均一に巻き取るためのレベルワインド機構を臨む開口部が形成されており、
前記カバー部材は、前記開口部の周縁部を覆うように装着される、請求項１から３のいずれかに記載の両軸受リールのリール本体。
【請求項５】
前記カバー部材は、表面が前記ケース部材及び前記本体部材の表面より外方に突出するように装着される、請求項１から４のいずれかに記載の両軸受リールのリール本体。
【請求項６】
前記ケース部材及び前記本体部材は、前記カバー部材が装着される部分の表面が、他の部分の表面より内方に凹んで形成されている、請求項１から５のいずれかに記載の両軸受リールのリール本体。
【請求項７】
前記ケース部材の上面には、各種の操作を行う１又は複数のスイッチ操作部が配置されており、
前記カバー部材は、前記スイッチ操作部の少なくとも１つが外方に突出するように貫通する貫通孔を有している、請求項１から６のいずれかに記載の両軸受リールのリール本体。
【請求項８】
前記カバー部材は、前記ケース部材及び前記本体部材の少なくともいずれかにねじ止め固定されている、請求項１から７のいずれかに記載の両軸受リールのリール本体。
【発明の詳細な説明】
【技術分野】
【０００１】
本発明は、リール本体、特に、釣竿に装着され、スプールの前方に釣り糸が繰り出される両軸受リールのリール本体に関する。
【背景技術】
【０００２】
一般に、両軸受リールは、リール本体と、リール本体に装着されたスプールと、スプールを回転させるハンドルとを備えている。リール本体は、本体部材と、本体部材の上部に載置されたケース部材とを有している。ケース部材の上面には、水深表示用の液晶ディスプレイからなる表示部と、表示部の周囲に設けられ各種の操作を行うスイッチ操作部とが配置されている。
【０００３】
このようなケース部材を有する両軸受リールでは、たとえばリールを落下させたときに受ける衝撃により、ケース部材が傷付いたり、ケース部材の上面の表示部やスイッチ操作部が破損してしまうことがある。また、特に、横方向から強い衝撃を受けると、ケース部材は本体部材の上部に載置されているので、ケース部材が本体部材から横方向にずれてしまうおそれがある。
【０００４】
そこで、本体部材及びケース部材の前部に設けられ、表示部やスイッチ操作部より上方に略コ字状に突出した棒状のガード部材を設けたものが知られている（たとえば、特許文献１参照）。ここでは、ガード部材をケース部材の前部上方に突出して設けることにより、リールを落下させても、ケース部材の傷付きを防止でき、表示部やスイッチ操作部を保護することができる。さらに、ガード部材は本体部材及びケース部材の前部に設けられているので、前方側から横方向に強い衝撃を受けても、ケース部材が本体部材から横方向にずれるのを防止できる。
【特許文献１】意匠登録第７２４７８９号公報
【発明の開示】
【発明が解決しようとする課題】
【０００５】
前記従来のガード部材を有する両軸受リールでは、ガード部材はケース部材の前部上方に突出して設けられているので、ガード部材に釣り糸が絡みつくおそれが生じる。ガード部材に釣り糸が絡みつくと、釣り糸をばらすのに手間が掛かり、快適な釣り操作が行えない。
【０００６】
また、ガード部材は本体部材及びケース部材の前部に設けられているので、側方側から横方向に強い衝撃を受けると、ケース部材が側方側から横方向にずれてしまうことがある。ケース部材が横方向にずれると、内部配線が断線したり、本体部材が破損してしまうおそれがある。
【０００７】
本発明の課題は、ケース部材を有する両軸受リールにおいて、釣り糸が絡みつくことなくケース部材の傷付きを防止するとともに、ケース部材の横方向へのずれを抑えることにある。
【課題を解決するための手段】
【０００８】
発明１に係るリール本体は、釣竿に装着されスプールの前方に釣り糸が繰り出される両軸受リールのリール本体であって、釣竿に装着される本体部材と、本体部材の釣竿と離反する側である上部に装着され上部両側に角部を有するケース部材と、ケース部材の角部とケース部材及び本体部材の接合部とを覆うように装着されるカバー部材とを備えている。
【０００９】
このリール本体では、本体部材の上部にケース部材が装着され、ケース部材の角部とケース部材及び本体部材の接合部とにカバー部材が装着されている。ここでは、ケース部材の角部（ケース部材両端の上面、前面及び側面の３面を含む部分）と、ケース部材及び本体部材の接合部（ケース部材及び本体部材の前面及び側面に露出する接合部分）とにわたって、カバー部材が装着されている。このように、カバー部材は、特に、リールを落下させたときに衝撃を受けやすいケース部材の角部を覆っているので、ケース部材の傷付きを確実に防止できる。また、カバー部材は、従来のガード部材のように、上方に突出することがないので、釣り糸が絡みつきにくくなる。さらに、カバー部材は、ケース部材及び本体部材の接合部とを覆うように装着されているので、横方向に強い衝撃を受けても、ケース部材が横方向へずれにくくなる。
【００１０】
発明２に係るリール本体は、発明１のリール本体において、カバー部材は、ケース部材の上部から本体部材の前部を覆うように装着される。この場合、特に、前方からの衝撃に対して、ケース部材及び本体部材を保護できる。
【００１１】
発明３に係るリール本体は、発明１又は２のリール本体において、カバー部材は、ケース部材の上部から本体部材の側部を覆うように装着される。この場合、特に、側方からの衝撃に対して、ケース部材及び本体部材を保護できる。
【００１２】
発明４に係るリール本体は、発明１から３のいずれかのリール本体において、本体部材は、前部に釣り糸を前記スプールに均一に巻き取るためのレベルワインド機構を臨む開口部が形成されている。カバー部材は、開口部の周縁部を覆うように装着される。この場合、本体部材の前部の開口部の周囲を覆うようにカバー部材が装着されているので、カバー部材によりこの部分の強度を高く維持できる。
【００１３】
発明５に係るリール本体は、発明１から４のいずれかのリール本体において、カバー部材は、表面がケース部材及び本体部材の表面より外方に突出するように装着される。この場合、カバー部材の表面がケース部材及び本体部材の表面より突出しているので、たとえばリールを落下させたときに、ケース部材及び本体部材に比して、カバー部材が衝撃を受けやすくなり、ケース部材及び本体部材を確実に保護できる。
【００１４】
発明６に係るリール本体は、発明１から５のいずれかのリール本体において、ケース部材及び本体部材は、カバー部材が装着される部分の表面が、他の部分の表面より内方に凹んで形成されている。この場合、カバー部材のケース部材及び本体部材への装着が容易になる。
【００１５】
発明７に係るリール本体は、発明１から６のいずれかのリール本体において、ケース部材の上面には、各種の操作を行う１又は複数のスイッチ操作部が配置されている。カバー部材は、スイッチ操作部の少なくとも１つが外方に突出するように貫通する貫通孔を有している。この場合、カバー部材に貫通孔を設けることにより、カバー部材で覆われるケース部材の上面にスイッチ操作部を配置できる。
【００１６】
発明８に係るリール本体は、発明１から７のいずれかのリール本体において、カバー部材は、ケース部材及び本体部材の少なくともいずれかにねじ止め固定されている。この場合、カバー部材のケース部材及び本体部材への着脱が容易になる。
【発明の効果】
【００１７】
本発明によれば、ケース部材を有する両軸受リールにおいて、釣り糸が絡みつくことなくケース部材の傷付きを防止するとともに、ケース部材の横方向へのずれを抑えることができる。
【発明を実施するための最良の形態】
【００１８】
本発明の一実施形態を採用した電動リールは、図１及び図２に示すように、釣竿Ｒに装着されるリール本体１と、リール本体１の側方に配置されたスプール回転用のハンドル２と、ハンドル２のリール本体１側に配置されたドラグ調整用のスタードラグ３とを主に備えている。
【００１９】
リール本体１は、左右１対の側板７ａ、７ｂとそれらを連結する複数の連結部材８とからなるフレーム７と、フレーム７の左右を覆う左右の側カバー９ａ、９ｂとを有している。リール本体１の前部には、図示しないレベルワインド機構を臨む開口部７ｃが形成されている。ハンドル２側（図２の右側）の側カバー９ｂには、ハンドル２の回転軸が回転自在に支持され、ハンドル２と逆側（図２の左側）の側カバー９ａには、バッテリ８０が接続される電源コード２０を接続するためのコネクタ１９が設けられている。
【００２０】
リール本体１の内部には、図２に示すように、ハンドル２に連結されたスプール１０が回転自在に支持されている。スプール１０の内部には、スプール１０を糸巻き上げ方向に回転駆動する直流駆動のモータ１２が配置されている。また、リール本体１のハンドル２側側面には、ハンドル２及びモータ１２と、ハンドル２の後方に設けられスプール１０との駆動伝達をオン、オフするクラッチレバー１１と、側カバー９ｂのハンドル２前方に設けられた速度変更レバー１３とが配置されている。速度変更レバー１３は、モータ１２の回転をオン、オフするとともに、モータ１２の回転を停止状態から最大回転状態まで揺動により指定するためのレバー部材である。
【００２１】
リール本体１の上部には、図１に示すように、カウンタケース４が固定されている。リール本体１の上部には、カウンタケース４が接合する接合部１ａ、１ｂを有しており、接合部１ａ、１ｂの一部は、リール本体１及びカウンタケース４の前面及び側面から外方に露出している。カウンタケース４は、略直方体形状のケース部材であり、図１及び図２に示すように、前側の左右両端の上面、前面及び側面の３面を含む部分には、角部４ａ、４ｂが丸みを帯びて形成されている。そして、リール本体１及びカウンタケース４には、リール本体１の接合部１ａ、１ｂ及びカウンタケース４の角部４ａ、４ｂを覆うようにカバー部材５０が装着されている。
【００２２】
カバー部材５０は、図１、図２、図５から図７に示すように、リール本体１の前部及び側部と、カウンタケース４の上部、前部及び側部とを一体的に覆うように湾曲した合成樹脂製部材である。カバー部材５０は、カウンタケース４の左右両端の上部からリール本体１の前部及び側部を覆うように装着される。カバー部材５０は、カウンタケース４の角部４ａ、４ｂの全部を覆うように装着されており、リール本体１の接合部のうち前方側及び後方側に露出する部分を除く左右両端の接合部１ａ、１ｂを覆うように装着されている。また、カバー部材５０は、リール本体１前部の開口部７ｃの周囲を覆うように、すなわち開口部７ｃの左側及び右側から下側わたって滑らかに連続するように一体的に装着されている。
【００２３】
カバー部材５０は、図５から図７に示すように、表面がカウンタケース４及びリール本体１の表面より外方に突出するように装着される。カウンタケース４の上部に装着されるカバー部材５０の上面は、カウンタケース４の上面より上方に突出している。カウンタケース４の前部及び側部に装着されるカバー部材５０の表面は、カウンタケース４の前部及び側部より外方に突出している。リール本体１の前部及び側部に装着されるカバー部材５０の表面は、リール本体１の前部及び側部より外方に突出している。また、カバー部材５０とカウンタケース４及びリール本体１との接合部分が面一になるように、カバー部材５０の周縁部が滑らかに傾斜して縁取りされている。一方、カウンタケース４及びリール本体１のカバー部材５０が装着される部分の表面は、図１及び図２に示すように、カウンタケース４及びリール本体１の他の部分の表面より内方に凹んだ凹部４ｃ、４ｄが形成されている。凹部４ｃ、４ｄは、外形がカバー部材５０の外形に沿うように形成されている。
【００２４】
カバー部材５０は、図１及び図２に示すように、カウンタケース４の左右上部において、ねじ部材５１、５２によりそれぞれ固定されている。
【００２５】
カウンタケース４の上面には、図３に示すように、仕掛けの水深や棚位置を水面からと底からとの２つの基準で表示するための液晶ディスプレイからなる表示部５と、表示部５の周囲に配置されたスイッチ操作部６とを有している。表示部５は、中央に配置された４桁の７セグメント表示の水深表示領域５ａと、その下方に配置された３桁の底水深表示領域５ｂとを有している。スイッチ操作部６は、表示部５の図３下側に左右に並べて配置されたメニュースイッチＡ、決定スイッチＢ及び速巻きスイッチＣと、右側に配置された底メモスイッチＤとを有している。
【００２６】
カバー部材５０は、図１から図３に示すように、後方視右側の上面に形成された貫通孔５０ａと、貫通孔５０ａを形成するために左側に突出した略半円形の突出部５０ｂとを有している。底メモスイッチＤは、カウンタケース４の上部に装着されたカバー部材５０の貫通孔５０ａを貫通し上方に突出して取り付けられている。
【００２７】
カウンタケース４内の上部には、表示部５と、表示制御及びモータ制御を行うリール制御部３０とが配置されている。カウンタケース４内の下部には、モータ１２をＰＷＭ駆動するＰＷＭ駆動回路３１が配置されている。またカウンタケース４内の下部には、ブザー４０と、スプールセンサ４１とが配置されている。
【００２８】
リール制御部３０は、カウンタケース４内に配置されたＣＰＵ、ＲＡＭ、ＲＯＭ、Ｉ／Ｏインターフェイス等を含むマイクロコンピュータを含んでいる。リール制御部３０は、制御プログラムに従って表示部５の表示制御やモータ駆動制御等の各種の制御動作を実行する。リール制御部３０には、図４に示すように、スイッチ操作部６の各種のスイッチとスプール１０の回転方向及び回転数（回転位置データ）を検出するためのスプールセンサ４１及びスプールカウンタ４２と、速度変更レバー１３とが接続されている。また、リール制御部３０には、ブザー４０と、ＰＷＭ駆動回路３１と、表示部５と、記憶部４３と、他の入出力部とが接続されている。
【００２９】
ＰＷＭ駆動回路３１は、モータ１２を駆動するための駆動素子としてのＦＥＴを含んでいる。ＰＷＭ駆動回路３１は、リール制御部３０によりデューティ比が制御されてモータ１２を速度可変に駆動する。
【００３０】
スプールセンサ４１は、前後に並べて配置された２つのリードスイッチから構成されている。リードスイッチは、磁石ホイールに装着された２個の磁石を検出する。この検出パルスをスプールカウンタ４２で計数することでリールの回転数を検出できる。また、いずれのリードスイッチが先に検出パルスを発したかによりスプール１０の回転方向を検出できる。
【００３１】
スプールカウンタ４２は、スプールセンサ４１のオンオフ回数を計数するカウンタであり、この計数値によりスプール回転数に関する回転位置データが得られる。スプールカウンタ４２は、スプール１０が正転（糸繰り出し方向の回転）すると計数値が減少し、逆転すると増加する。
【００３２】
記憶部４３はたとえばＥＥＰＲＯＭ等の不揮発メモリからなり、学習結果のデータや糸長算出時に使用する各種のデータ等が記憶されている。
【００３３】
このような電動リールでは、カバー部材５０をカウンタケース４及びリール本体１に装着するには、リール本体１の下部に形成された図示しない被係止部にカバー部材５０の下部に形成された図示しない係止部を係止した状態で、カバー部材５０の上部を起こして、カウンタケース４にねじ部材５１、５２により固定する。
【００３４】
ここでは、リール本体１及びカウンタケース４には、リール本体１の接合部１ａ、１ｂ及びカウンタケース４の角部４ａ、４ｂを覆うようにカバー部材５０が装着されている。ここでは、カバー部材５０は、特に、リールを落下させたときに衝撃を受けやすいカウンタケース４の角部４ａ、４ｂを覆っているので、カウンタケース４の傷付きを確実に防止できる。また、カバー部材５０は、従来のガード部材のように、上方に突出することがないので、釣り糸が絡みつきにくくなる。さらに、カバー部材５０は、カウンタケース４及びリール本体１の接合部１ａ、１ｂとを覆うように装着されているので、横方向に強い衝撃を受けても、カウンタケース４が横方向へずれにくくなる。
【００３５】
〔他の実施形態〕
（ａ）  前記実施形態では、電動リールを例にあげて説明したが、カウンタケース４を有する手巻きのカウンタリールにも本発明を適用できる。
【００３６】
（ｂ）  前記実施形態では、速度変更レバー１３により、モータ１２をオン、オフしていたが、モータ１２をオン、オフするためのスイッチをカウンタケース４に別途設ける構成にしてもよい。
【００３７】
（ｃ）  前記実施形態では、電動リール単体で構成されていたが、図８に示すように、電動リールの外部に設けられ、電動リールに各種の情報を通信可能に接続され、電動リールからの各種の情報を表示する外部モニタ６０を設ける構成にしてもよい。
【００３８】
（ｄ）  前記実施形態では、カバー部材５０は、リール本体１及びカウンタケース４を一体的に覆っていたが、図９及び図１０に示すように、カバー部材５０をカウンタケース４の角部４ａを覆う第１カバー部材５０ｃと、角部４ｂを覆う第２カバー部材５０ｄとでカバー部材５０を構成してもよい。
【００３９】
（ｅ）  前記実施形態では、カバー部材５０は、表面がカウンタケース４及びリール本体１の表面より外方に突出するように装着されていたが、図１１及び図１２に示すように、カバー部材５０の表面がカウンタケース４及びリール本体１の表面と面一になるように構成してもよい。
【００４０】
（ｆ）  前記実施形態では、カバー部材５０は、合成樹脂製であったが、金属等の他の材質で形成してもよい。また、カバー部材５０の固定方法は、ねじ部材５１、５２による固定に限定されるものではなく、接着や圧入等により固定してもよい。
【図面の簡単な説明】
【００４１】
【図１】本発明の一実施形態を採用した電動リールの斜視図。
【図２】前記電動リールの平面図。
【図３】前記電動リールの表示部周辺の平面図。
【図４】前記電動リールの制御ブロック図。
【図５】前記電動リールの右側面図。
【図６】前記電動リールの左側面図。
【図７】前記電動リールの正面図。
【図８】他の実施形態を採用した電動リールの斜視図。
【図９】他の実施形態の図１に相当する図。
【図１０】他の実施形態の図７に相当する図。
【図１１】他の実施形態の図５に相当する図。
【図１２】他の実施形態の図６に相当する図。
【符号の説明】
【００４２】
１  リール本体
１ａ、１ｂ  接合部
２  ハンドル
４  カウンタケース
４ａ、４ｂ  角部
４ｃ、４ｄ  凹部
５  表示部
６  スイッチ操作部
７  フレーム
７ａ、７ｂ  側板
７ｃ  開口部
８  連結部材
９ａ、９ｂ  側カバー
１０  スプール
１２  モータ
５０  カバー部材
５１、５２  ねじ部材
【図１】
2005160350.tif 000003
【図２】
2005160350.tif 000004
【図３】
2005160350.tif 000005
【図４】
2005160350.tif 000006
【図５】
2005160350.tif 000007
【図６】
2005160350.tif 000008
【図７】
2005160350.tif 000009
【図８】
2005160350.tif 000010
【図９】
2005160350.tif 000011
【図１０】
2005160350.tif 000012
【図１１】
2005160350.tif 000013
【図１２】
2005160350.tif 000014